(57)【要約】【課題】使用時の興趣性を向上できる保護物品を提供する。【解決手段】保護物品（絆創膏）１０の本体部１１は画像認識可能な特定情報１４ａを持つ情報源１４が設けられた第１面Ｓ１と保護用の第２面Ｓ２を有し、第１面Ｓ１は非装着状態で第１形態を装着状態で前記第１形態と異なる第２形態をそれぞれ形成可能であり、情報源１４は第１面Ｓ１が第１形態と第２形態のいずれにある場合でも特定情報１４ａを画像認識できるように構成されている。【選択図】図１
2020116057.tif 000002
【特許請求の範囲】
【請求項１】
人体に装着することにより前記人体の一部を保護可能な本体部を備えた保護物品であって、
前記本体部は、画像認識可能な特定情報を持つ情報源が設けられた第１面と保護用の第２面を備え、
前記第１面は、非装着状態で第１形態を、装着状態で前記第１形態とは異なる第２形態をそれぞれ形成可能であり、
前記情報源は、前記第１面が前記第１形態と前記第２形態のいずれにある場合でも前記特定情報を画像認識可能に構成されている、
保護物品。
【請求項２】
前記第１形態は、平坦な形態であり、
前記第２形態は、湾曲した形態である、
請求項１に記載の保護物品。
【請求項３】
前記湾曲した形態は、表面が凹凸を成す形態である、
請求項２に記載の保護物品。
【請求項４】
前記凹凸は、前記人体の一部の形状に応じた凹凸である、
請求項３に記載の保護物品。
【請求項５】
前記本体部は、伸縮可能であり、
前記情報源は、前記本体部が縮んだ状態と伸びた状態のいずれにある場合でも前記特定情報を画像認識可能に構成されている、
請求項１〜４のいずれか１項に記載の保護物品。
【請求項６】
前記情報源は、２種以上の特定情報を持つ、
請求項１〜５のいずれか１項に記載の保護物品。
【請求項７】
前記特定情報は、２次元像、文字、及び記号の少なくとも何れかである、
請求項１〜６のいずれか１項に記載の保護物品。
【請求項８】
前記保護物品は、絆創膏であり、
前記第２面には、粘着部が設けられている、
請求項１〜７のいずれか１項に記載の保護物品。
【請求項９】
前記保護物品は、マスクであり、
前記本体部には、１対の耳かけ部が設けられている、
請求項１〜７のいずれか１項に記載の保護物品。
【請求項１０】
請求項１〜９のいずれか１項に記載の保護物品に設けられた情報源の特定情報を画像認識可能な情報処理装置であって、
前記特定情報を含む画像を取得可能な画像取得部と、
前記画像取得部で取得された前記特定情報を含む画像を表示可能な画像表示部と、
識別情報を用いて前記画像取得部で取得された画像中の前記特定情報を認識可能な特定情報認識部と、
前記特定情報認識部で前記特定情報が認識されたときに前記特定情報が前記画像表示部に表示されていることを条件として前記特定情報に対応する付加情報を前記画像表示部に表示可能な付加情報表示部とを備える、
情報処理装置。
【請求項１１】
前記付加情報表示部は、前記本体部により前記人体の一部が保護されていることを条件として前記特定情報に対応する付加情報を前記画像表示部に表示可能に構成されている、
請求項１０に記載の情報処理装置。
【請求項１２】
前記付加情報表示部は、前記画像表示部に表示されている前記特定情報を含む画像中の前記特定情報を避けた位置に前記付加情報を表示可能に構成されている、
請求項１０または１１に記載の情報処理装置。
【請求項１３】
前記特定情報認識部は、前記画像取得部で取得された前記特定情報を含む画像中の前記特定情報の向きを併せて認識可能であり、
前記付加情報表示部は、前記特定情報認識部で認識された前記特定情報の向きに応じて前記付加情報の表示向きを変化可能に構成されている、
請求項１０〜１２のいずれか１項に記載の情報処理装置。
【請求項１４】
前記付加情報表示部は、前記特定情報認識部で２種以上の特定情報が認識されたときに前記２種以上の特定情報が前記画像表示部に表示されていることを条件として、前記２種以上の特定情報それぞれに対応する２種以上の付加情報を前記画像表示部に表示可能に構成されている、
請求項１０〜１３のいずれか１項に記載の情報処理装置。
【請求項１５】
前記付加情報は、前記特定情報に対応する付加画像、及び付加文字列の少なくとも何れかである、
請求項１０〜１４のいずれか１項に記載の情報処理装置。
【請求項１６】
前記特定情報認識部で前記特定情報が認識されたときに前記特定情報に対応する付加音声を出力可能な音声出力部をさらに備える、
請求項１０〜１５のいずれか１項に記載の情報処理装置。
【請求項１７】
前記特定情報認識部における前記特定情報の認識は、テンプレートマッチングによるものである、
請求項１０〜１６のいずれか１項に記載の情報処理装置。
【請求項１８】
請求項１０〜１７に記載の情報処理装置と当該情報処理装置と通信可能なサーバー装置とを備えた情報処理システムであって、
前記情報処理装置は、
前記サーバー装置と通信を行うための送受信部と、
前記特定情報認識部が前記特定情報の認識を行うのに必要な前記識別情報と、前記付加情報表示部が前記画像表示部に表示可能な前記付加情報とを、前記送受信部から前記サーバー装置に要求する情報要求部とを備え、
前記サーバー装置は、
前記情報処理装置と通信を行うための送受信部と、
前記情報処理装置の前記情報要求部からの要求に基づいて前記送受信部から前記情報処理装置に前記識別情報および前記付加情報を提供する情報提供部とを備える、
情報処理システム。
【請求項１９】
前記サーバー装置から前記情報処理装置に提供される前記識別情報および前記付加情報は、前記識別情報と前記付加情報とが対応付けられたデータファイルである、
請求項１８に記載の情報処理システム。
【請求項２０】
前記情報処理装置は、
前記情報処理装置に記憶されている前記識別情報を用いても前記画像取得部で取得された前記特定情報を含む画像中の前記特定情報を認識できないときに、最新の前記識別情報および前記付加情報を前記送受信部から前記サーバー装置に要求する情報更新部をさらに備える、
請求項１８または１９に記載の情報処理システム。
【請求項２１】
前記情報処理装置は、
前記情報処理装置に記憶されている前記識別情報および前記付加情報のうち期限切れのものを削除する情報削除部をさらに備える、
請求項１８〜２０のいずれか１項に記載の情報処理システム。
【発明の詳細な説明】
【技術分野】
【０００１】
本発明は、人体の一部を保護可能な保護物品と、当該保護物品に設けられた情報源の特定情報を画像認識可能な情報処理装置と、当該情報処理装置およびこれと通信可能なサーバー装置を備えた情報処理システムに関する。
【背景技術】
【０００２】
後記特許文献１には、絆創膏主体の形状を具象物の絵図と略同一形状にしてその表面に絵図を印刷した絆創膏が開示されている。この絆創膏は、使用時に具象物の形状および絵図を表面に露出させて幼児等が好むようにしたものであるが、興趣が具象物の形状および絵図に依存するため、使用時に見た目を超える興趣を使用者に供与することが難しい。
【先行技術文献】
【特許文献】
【０００３】
【特許文献１】実開昭６０−１２９９１６号
【発明の概要】
【発明が解決しようとする課題】
【０００４】
本発明が解決しようとする課題は、使用時の興趣性を向上できる保護物品、情報処理装置、および情報処理システムを提供することにある。
【課題を解決するための手段】
【０００５】
本発明に係る保護物品は、人体に装着することにより前記人体の一部を保護可能な本体部を備えた保護物品であって、前記本体部は、画像認識可能な特定情報を持つ情報源が設けられた第１面と保護用の第２面を備え、前記第１面は、非装着状態で第１形態を、装着状態で前記第１形態とは異なる第２形態をそれぞれ形成可能であり、前記情報源は、前記第１面が前記第１形態と前記第２形態のいずれにある場合でも前記特定情報を画像認識可能に構成されている。
【０００６】
また、本発明に係る情報処理装置は、前掲の保護物品に設けられた情報源の特定情報を画像認識可能な情報処理装置であって、前記特定情報を含む画像を取得可能な画像取得部と、前記画像取得部で取得された前記特定情報を含む画像を表示可能な画像表示部と、識別情報を用いて前記画像取得部で取得された画像中の前記特定情報を認識可能な特定情報認識部と、前記特定情報認識部で前記特定情報が認識されたときに前記特定情報が前記画像表示部に表示されていることを条件として、前記特定情報に対応する付加情報を前記画像表示部に表示可能な付加情報表示部とを備える。
【０００７】
さらに、本発明に係る情報処理システムは、前掲の情報処理装置と当該情報処理装置と通信可能なサーバー装置とを備えた情報処理システムであって、前記情報処理装置は、前記サーバー装置と通信を行うための送受信部と、前記特定情報認識部が前記特定情報の認識を行うのに必要な前記識別情報と、前記付加情報表示部が前記画像表示部に表示可能な前記付加情報とを、前記送受信部から前記サーバー装置に要求する情報要求部とを備え、前記サーバー装置は、前記情報処理装置と通信を行うための送受信部と、前記情報処理装置の前記情報要求部からの要求に基づいて前記送受信部から前記情報処理装置に前記識別情報および前記付加情報を提供する情報提供部とを備える。
【発明の効果】
【０００８】
本発明に係る保護物品、情報処理装置、および情報処理システムによれば、使用時の興趣性を向上することができる。
【図面の簡単な説明】
【０００９】
【図１】図１（Ａ）は本発明に係る保護物品の一例を示す絆創膏の表面図、図１（Ｂ）は同絆創膏の裏面図である。
【図２】図２は本発明に係る保護物品の他の例を示すマスクの表面図である。
【図３】図３は本発明に係る保護物品の他の例を示す冷却シートの表面図である。
【図４】図４は情報処理システムの概念図である。
【図５】図５は図４に示した情報処理装置の制御系の一例を示す図である。
【図６】図６は図４に示したサーバー装置の制御系の一例を示す図である。
【図７】図７（Ａ）は図４に示した情報処理装置の初期情報の入手に係る流れの一例を示す図、図７（Ｂ）は図１〜図３に示した情報源の特定情報に対応する識別情報の例を示す図である。
【図８】図８は図４に示した情報処理装置の付加情報の表示に係る流れの一例を示す図である。
【図９】図９（Ａ）〜図９（Ｃ）は図８に示した付加情報の表示に係る使用方法の一例を示す図である。
【発明を実施するための形態】
【００１０】
《保護物品》
まず、図１〜図３を用いて、本発明に係る保護物品について説明する。
【００１１】
図１〜図３は保護物品の例をそれぞれ示すものであって、図１中の符号１０は絆創膏を示し、図２中の符号２０はマスクを示し、図３中の符号３０は熱冷まし用の冷却シート３０を示す。
【００１２】
保護物品としての絆創膏１０は、第１面（表面）Ｓ１と第２面（裏面）Ｓ２を備える本体部１１と、本体部１１の第２面Ｓ２に設けられた粘着部１２と、本体部１１の第２面Ｓ２の中央に設けられたパッド１３とを備えている。ちなみに、図１（Ｂ）は、本体部１１の第２面Ｓ２からカバーフィルムが剥離された状態を示している。また、本体部１１の第１面Ｓ１には、画像認識可能な特定情報１４ａを持つ情報源１４が直接印刷やシート貼り付け等の手法によって設けられている。
【００１３】
保護物品としてのマスク２０は、第１面（表面）Ｓ１と第２面（裏面）Ｓ２を備える本体部２１と、本体部２１の左右両端に１対の耳かけ部２２を備えている。また、本体部２１の第１面Ｓ１には、画像認識可能な特定情報２３ａおよび２３ｂを持つ情報源２３が直接印刷やシート貼り付け等の手法によって設けられている。
【００１４】
保護物品として冷却シート３０は、第１面（表面）Ｓ１と第２面（裏面）Ｓ２を備える本体部３１と、本体部３１の第２面Ｓ２に設けられた冷却ジェル３２とを備えている。また、本体部３１の第１面Ｓ１には、画像認識可能な特定情報３３ａ〜３３ｃを持つ情報源３３が直接印刷やシート貼り付け等の手法によって設けられている。
【００１５】
図１〜図３には情報源１４、２３および３３の所在を明らかにするために四角枠で囲んだものを例示しているが、当該四角枠は必ずしも必要なものではない。また、図１〜図３には情報源１４、２３および３３が本体部１１、２１および３１の第１面Ｓ１の中央に設けられたものを例示しているが、情報源は本体部１１、２１および３１の第１面Ｓ１全体に及ぶものであってもよい。さらに、図１〜図３には保護物品として傷口等の患部を保護する絆創膏１０、口や鼻を保護するマスク２０および発熱部を冷却及び保護する冷却シート３０を例示しているが、人体に装着することによりその一部を保護可能なものであれば、これら以外の保護物品、例えば、包袋、サポーター、手袋、リストバンド等の保護物品であってもよい。
【００１６】
保護物品で共通して言えることは、本体部が可撓性を有するが故に、人体の一部に装着していない状態（非装着状態）と人体の一部に装着した状態（装着状態）とで異なる第１形態と第２形態とを形成し得ることである。図１〜図３に例示した絆創膏１０、マスク２０および冷却シート３０を例として補足すれば、これら保護物品の非装着状態の第１形態は平坦な形態であるが、装着状態の第２形態は人体の一部の形に応じた湾曲した形態となる。また、これら保護物品は、第２形態において人体の一部の形に応じて表面が凹凸を形成し得る。
【００１７】
保護物品に共通して言えることではないが、保護物品の本体部が伸縮可能な場合、非装着状態の第１形態は本体部が縮んだ状態をも含み、装着状態の第２形態は本体部が伸びた状態をも含む。この場合、本体部が伸びると情報源も伸びた状態に成り得るが、本体部の伸びが極端なものでなければ、情報源が消失しない限り、本体部が伸びた状態にあっても情報源の特定情報を画像認識することは十分に可能である。
【００１８】
《情報源および特定情報》
次に、図１〜図３を用いて、前述の情報源および特定情報について説明する。
【００１９】
図１に例示した情報源１４は１種の特定情報１４ａを持ち、図２に例示した情報源２３は２種の特定情報２３ａおよび２３ｂを持ち、図３に例示した情報源３３は３種の特定情報３３ａ、３３ｂおよび３３ｃを持つ。ちなみに、各情報源１４、２３および３３は、特定情報１４ａと特定情報２３ａおよび２３ｂと特定情報３３ａ、３３ｂおよび３３ｃの他に、模様や景色等の背景を含んでいてもよい。
【００２０】
図１に例示した１種の特定情報１４ａと、図２に例示した２種の特定情報２３ａおよび２３ｂと、図３に例示した３種の特定情報３３ａ、３３ｂおよび３３ｃは、いずれもキャラクターの上半身を表すカラーの２次元像であるが、当該２次元像はキャラクターの全身を表すものあってもよい。ちなみに、図示の便宜上、図１に例示した特定情報１４ａと図２に例示した特定情報２３ａと図３に例示した特定情報３３ａとは、特定情報として同じものを描き、図２に例示した特定情報２３ｂと図３に例示した特定情報３３ｂとは、特定情報として同じものを描いている。
【００２１】
特定情報で共通して言えることは、後述の画像認識のために、少なくとも、特定情報それぞれが他と区別可能な輪郭を有することにある。すなわち、後述の画像認識はテンプレートマッチングによって行われるため、特定情報それぞれが固有の輪郭を有することが望ましい。
【００２２】
なお、図１〜図３には特定情報としてキャラクターを表す２次元像を例示しているが、当該２次元像は、キャラクター以外の生物や無生物の一部または全体を表すものであってもよい。また、特定情報は２次元像に限らず、文字や記号等のみであっても、２次元像と文字や記号等との組み合わせであっても後述の画像認識は可能であるが、後述の画像認識を迅速に行うには特定情報は２次元像のみ、あるいは、文字や記号等のみとすることが好ましい。
【００２３】
《情報処理装置および情報処理システム》
次に、図４〜図６を用いて、本発明に係る情報処理装置および情報処理システムについて説明する。
【００２４】
図４は情報処理システムの概念図であり、図４中の符号１００は情報処理装置を示し、符号２００はサーバー装置を示し、３００は通信回線を示す。
【００２５】
情報処理装置１００は好ましくはスマートフォンであるが、スマートフォンと同等の機能を有する携帯電話等の携帯情報機器も使用可能である。サーバー装置２００は好ましくはＣＭＳサーバーであるが、ＡＰＩを併用したものやクラウドＣＭＳも使用可能である。通信回線３００は好ましくはインターネット回線であるが、インターネット回線以外のＷＡＮやＬＡＮも使用可能である。ちなみに、図４には情報処理装置１００が無線で通信回線３００に接続されている様子を示しているが、当該無線接続に要する中継設備、例えば、通信基地局や無線ルーターやプロバイダ等の図示を省略している。
【００２６】
《情報処理装置の制御系》
次に、図５を用いて、前述の情報処理装置の制御系について説明する。
【００２７】
図５は情報処理装置１００がスマートフォンの場合の制御系の一例を示す。この制御系は、主として、マイクロコンピュータ構成の主制御部１０１と、内蔵フラッシュメモリやメモリーカード等から成る記憶部１０２と、ＣＭＯＳイメージセンサ等を用いたカメラから成る画像取得部１０３と、カラー液晶ディスプレイ等から成る画像表示部１０４と、スピーカー等から成る音声出力部１０５と、ＬＴＥやＷｉ−Ｆｉ等の通信方式に対応した送受信部１０６の他、特定情報認識部１０７と、付加情報表示部１０８と、情報要求部１０９と、情報更新部１１０と、情報削除部１１１とを備えている。
【００２８】
主制御部１０１と記憶部１０２と画像取得部１０３と画像表示部１０４と音声出力部１０５と送受信部１０６はスマートフォンそれ自体が備えるハードウェアであり、特定情報認識部１０７と付加情報表示部１０８と情報要求部１０９と情報更新部１１０と情報削除部１１１はソフトウェアで実現される機能部である。個々の機能については後の説明にて明らかとなる。
【００２９】
《サーバー装置の制御系》
次に、図６を用いて、前述のサーバー装置の制御系について説明する。
【００３０】
図６はサーバー装置２００がＣＭＳサーバーの場合、すなわち、ＷｅｂサーバーにＣＭＳをインストールした場合の制御系の一例を示す。この制御系は、主として、マイクロコンピュータ構成の主制御部２０１と、通信回線３００を経由して情報処理装置１００との通信を可能とした送受信部２０２と、後述の識別情報と付加情報が記憶された記憶部２０２と、後述の識別情報と付加情報の配信を行う情報提供部２０４とを備えている。個々の機能について後の説明にて明らかとなる。
【００３１】
《情報処理装置の使用方法等》
次に、図７〜図９を用いて、前述の情報処理装置の使用方法等について説明する。
【００３２】
情報処理装置１００に初期情報（識別情報および付加情報）を取り込んで記憶するときには、情報処理装置１００に予めインストールした専用アプリケーションソフトウェアを起動し、所定の操作によって情報要求部１０９からサーバー装置２００に初期情報を要求し、当該要求に基づいてサーバー装置２００の情報提供部２０４から配信された初期情報（識別情報および付加情報）を記憶部１０２に記憶する（図７（Ａ）のステップＳＴ１０１〜ＳＴ１０３を参照）。ちなみに、サーバー装置２００から情報処理装置に配信される識別情報と付加情報は、両者が対応付けられたデータファイルである。
【００３３】
識別情報について補足すると、当該識別情報は図７（Ｂ）に符号ＩＤ１〜ＩＤ３で示したようなテンプレート画像である。詳しくは、図７（Ｂ）に例示した識別情報ＩＤ１は図１〜図３に例示した特定情報１４ａ、２３ａおよび３３ａ（キャラクターの上半身の２次元像）の輪郭に整合した輪郭を有し、識別情報ＩＤ２は図２および図３に例示した特定情報２３ｂおよび３３ｂ（キャラクターの上半身の２次元像）の輪郭に整合した輪郭を有し、識別情報ＩＤ３は図３に例示した特定情報３３ｃ（キャラクターの上半身の２次元像）の輪郭に整合した輪郭を有している。
【００３４】
識別情報ＩＤ１〜ＩＤ３は図１〜図３に例示した特定情報１４ａ、２３ａおよび３３ａと特定情報２３ｂおよび３３ｂと特定情報３３ｃのそれぞれと同じカラーの画像でも構わないが、所期のテンプレートマッチングを高速で処理するには識別情報ＩＤ１〜ＩＤ３として輪郭のみを有する画像を用いた方が好ましい。
【００３５】
付加情報について補足すると、当該付加情報は図９（Ｃ）に符号ＡＤ１に示したような付加画像（カラーまたはモノクロ）や符号ＡＤ２で示したような付加文字列（カラーまたはモノクロ）である。詳しくは、図９（Ｃ）に例示した付加画像ＡＤ１は特定情報１４ａ、２３ａおよび３３ａに対応するキャラクターの全身の２次元画像や３次元画像であり、図９（Ｃ）に例示した付加文字列ＡＤ２は特定情報１４ａ、２３ａおよび３３ａに対応するキャラクターに関連した文字列（キャラクターの名前やキャラクターが登場するタイトル等）や日常言葉を表した文字列（挨拶言葉や応援言葉等）であり、いずれも識別情報ＩＤ１に対応付けられている。
【００３６】
図示を省略したが、識別情報ＩＤ２についても図２および図３に例示した特定情報２３ｂおよび３３ｂに対応する付加画像や付加文字列が付加情報として対応付けられており、識別情報ＩＤ３についても図３に例示した特定情報３３ｃに対応する付加画像や付加文字列が付加情報として対応付けられている。また、各付加情報は、付加画像や付加文字列の他に付加音声（付加文字列に対応した音声や他の音声や効果音等）を含んでいてもよい。
【００３７】
情報処理装置１００で付加情報の表示を行うとき、例えば、図１に示した絆創膏１０（保護物品）が人体の一部である親指ＰＨＢに装着されている場合（図９（Ａ）を参照）にこれを認識対象として情報処理装置１００で付加情報の表示を行うときには、前記の専用アプリケーションソフトウェアを起動し、画像取得部１０３によって特定情報１４ａを含む画像を取得する（図８のステップＳＴ２０１を参照）。ちなみに、ステップＳＴ２０１（画像の取得）は、ソフトウェア起動によって開始されるものであってもよいし、ソフトウェア起動後の所定の操作によって開始されるものであってもよい。
【００３８】
画像取得部１０３で特定情報１４ａを含む画像が取得されると、図９（Ｂ）に示したように、同画像が画像表示部１０４に表示される（図８のステップＳＴ２０２を参照）。また、画像取得部１０３で特定情報１４ａを含む画像が取得されると、特定情報認識部１０７によって、同画像中の特定情報１４ａを認識する処理が開始される（図８のステップＳＴ２０３を参照）。ここで、本体部により人体の一部が保護されていること（本体部が人体の一部に装着されていること）を条件として、同画像中の特定情報１４ａを認識する処理が開始されるようにすることができる。
【００３９】
ステップＳＴ２０３（特定情報の認識）は、画像取得部１０３によって取得された特定情報１４ａを含む画像中に、図７（Ｂ）に示した識別情報ＩＤ１〜ＩＤ３と整合する特定情報が存在するか否かをテンプレートマッチングによって判断するものである。詳しくは、画像取得部１０３によって取得された特定情報１４ａを含む画像から識別情報ＩＤ１〜ＩＤ３と類似度が最も大きい部分をＳＳＤやＳＡＤやＮＣＣ等の類似度計算方法によって探索することによって行われる。すなわち、親指ＰＨＢに装着された絆創膏１０が湾曲した形態（第２形態）にあっても、その表面に凹凸があっても、多少伸びた状態にあっても、識別情報ＩＤ１を用いて特定情報１４ａの認識を行うことができる。
【００４０】
ステップＳＴ２０３（特定情報の認識）は識別情報ＩＤ１〜ＩＤ３を用いたテンプレートマッチングであるため、当該認識時には、画像取得部１０３によって取得された画像における特定情報１４ａの大きさがテンプレートマッチングに好適な大きさとなるように情報処理装置１００を認識対象（絆創膏１０が装着された親指ＰＨＢ）に近づけたり遠ざけたりすることが好ましい。
【００４１】
ステップＳＴ２０３（特定情報の認識）で識別情報ＩＤ１〜ＩＤ３を用いても所期のテンプレートマッチングが行えない場合、すなわち、画像取得部１０３によって取得された画像中の特定情報１４ａを認識するための識別情報が記憶されていない場合には、情報更新部１１０からサーバー装置２００に最新の識別情報および付加情報を要求し、当該要求に基づいてサーバー装置２００の情報提供部２０４から配信された最新の識別情報および付加情報を記憶部１０２に記憶する（図８のステップＳＴ２０４およびＳＴ２０５を参照）。
【００４２】
特定情報認識部１０７で識別情報ＩＤ１によって特定情報１４ａが認識されると、図９（Ｃ）に示したように、付加情報表示部１０９によって、当該特定情報１４ａに対応する付加情報（ここでは識別情報ＩＤ１に対応付けられた付加画像ＡＤ１と付加文字列ＡＤ２）が画像表示部１０４に表示される（図８のステップＳＴ２０６を参照）。ここで、本体部により人体の一部が保護されていること（本体部が人体の一部に装着されていること）を条件として、付加情報が画像表示部１０４に表示されるようにすることができる。
【００４３】
ステップＳＴ２０６（付加情報の表示）は、特定情報１４ａが画像表示部１０４に表示されていることを条件として、付加情報である付加画像ＡＤ１と付加文字列ＡＤ２が画像表示部１０４に表示される。これは、認識対象（絆創膏１０が装着された親指ＰＨＢ）と併せて付加情報を表示することによる興趣を使用者に供与することをその理由とする。
【００４４】
また、ステップＳＴ２０６（付加情報の表示）は、付加情報である付加画像ＡＤ１と付加文字列ＡＤ２が、画像表示部１０４に表示されている特定情報１４ａを含む画像中の特定情報１４ａを避けた位置に表示されることが好ましい。これは、認識対象（絆創膏１０が装着された親指ＰＨＢ）の全部または大半が付加情報によって隠されてしまうと、認識対象（絆創膏１０が装着された親指ＰＨＢ）と併せて付加情報を表示することによる興趣が低下しまうことをその理由とする。
【００４５】
特定情報認識部１０７で認識された特定情報１４ａに対応付けられた付加情報が付加画像ＡＤ１と付加文字列ＡＤ２の他に付加音声を含む場合には、当該特定情報１４ａに対応する付加情報として付加音声を音声出力部１０６から出力される（図８のステップＳＴ２０６を参照）。これにより、認識対象（絆創膏１０が装着された親指ＰＨＢ）と併せて付加情報を表示する際に付加音声を出力できるため、当該付加音声の出力によってより一層の興趣を使用者に供与できる。
【００４６】
図８には示していないが、ステップＳＴ２０３（特定情報の認識）で特定情報１４ａの向きを併せて認識し、認識された特定情報１４ａの向きに応じて付加情報の表示向きを変化させることも可能である。この向きの認識は、先に述べた類似度計算方法の結果によっても行うことができるし、情報処理装置１００を左右に傾けたときに画像取得部１０３に表示される画像の変化に基づいて行うことも可能である。
【００４７】
また、情報処理装置１００に取り込んで記憶されている識別情報および付加情報に有効期限が設けられている場合には、専用アプリケーションソフトウェアを起動した後の適当な段階で、情報削除部１１１によって、期限切れの識別情報および付加情報を随時削除するとよい。このようにすれば、使用できない識別情報および付加情報が記憶部１０２に残存することを防止できるとともに、記憶部１０２に空き領域を確保できる。
【００４８】
図示を省略したが、前掲の特定情報の認識、情報の更新、付加情報の表示、および付加音声の出力は、認識対象が、図２に例示したマスク２０を口および鼻を覆うように装着された顔の場合や、図３に例示した冷却シート３０を額に装着された顔の場合でも、同様に行われる。すなわち、認識対象がマスク２０が装着された顔の場合には、識別情報ＩＤ１およびＩＤ２を用いて特定情報２３ａおよび２３ｂの認識を行って、当該特定情報２３ａおよび２３ｂに対応し、かつ、識別情報ＩＤ１およびＩＤ２に対応付けられた付加情報を画像表示部１０４に表示することができるし、音声出力も行える。また、認識対象が冷却シート３０が装着された顔の場合には、識別情報ＩＤ１〜ＩＤ３を用いて特定情報３３ａ、３３ｂおよび３３ｃの認識を行って、当該特定情報３３ａ、３３ｂおよび３３ｃに対応し、かつ、識別情報ＩＤ１〜ＩＤ３に対応付けられた付加情報を画像表示部１０４に表示することができるし、音声出力も行える。
【００４９】
以上説明したように、前述の保護物品、情報処理装置、および情報処理システムによれば、特定情報を持つ情報源１４、２３または３３が設けられた保護物品１０、２０または３０を人体に装着した画像を情報処理装置１００の画像表示部１０３で取得することにより、同画像を前記特定情報に対応する付加情報と一緒に画像表示部１０４に表示できるため、保護物品１０、２０または３０の使用時に格別な興趣を使用者に供与することができる。
【００５０】
また、付加情報として付加画像の他に付加文字列や付加音声を併用することが可能であるため、付加画像のみを表示する場合に比べて趣向に富んだ興趣を使用者に供与することもできる。
【００５１】
さらに、付加画像の表示等を行うのに必要なデータ（識別情報および付加情報）を情報処理装置１００の記憶部１０２に取り込んで記憶させておくことができるので、当該データをその都度サーバー装置２００から入手する場合に比べて、付加画像の表示等を迅速に行うことができ、通信環境がない場所でも付加画像の表示等を行うことができる利便性がある。
【００５２】
さらに、必要に応じてサーバー装置２００から最新の識別情報および付加情報を入手して情報処理装置１００の記憶部１０２に記憶させることができ、また、記憶部１０２に記憶されている期限切れの識別情報および付加情報を随時削除することもできるので、前述の付加画像の表示等を適切に行うことができる。
【００５３】
なお、図７〜図９を用いた説明では、識別情報および付加画像として単一キャラクターに対応したものを例示したが、単一キャラクターに対応する識別情報による画像認識に基づいて複数のキャラクターが並んだ付加画像や他の付加画像を表示するようにしてもよい。このことは特定情報がキャラクター以外の生物や無生物の一部または全体から成る場合でも同様であるし、特定情報が文字や記号等のみから成る場合や、特定情報が２次元像と文字や記号等との組み合わせから成る場合でも同様である。
【００５４】
また、図７〜図９を用いた説明では、識別情報として単一キャラクターに対応したものを例示したが、複数のキャラクターが並んだ特定情報を認識可能な単一の識別情報を用意し、付加画像として複数のキャラクターが並んだ画像や他の画像を表示するようにしてもよい。このことは特定情報がキャラクター以外の生物や無生物の一部または全体が複数並んでいるものから成る場合でも同様であるし、特定情報が複数の文字や記号等のみから成る場合や、特定情報が複数の２次元像と複数の文字や記号等との組み合わせから成る場合でも同様である。
【００５５】
また、図７〜図９を用いた説明では、付加画像としてキャラクターの全身の２次元画像や３次元画像を例示したが、当該画像は２次元または３次元の動画像であってもよい。
【符号の説明】
【００５６】
１０…絆創膏（保護物品）、１１…本体部、Ｓ１…第１面、Ｓ２…第２面、１２…粘着部、１４…情報源、１４ａ…特定情報、２０…マスク（保護物品）、２１…本体部、Ｓ１…第１面、Ｓ２…第２面、２２…耳かけ部、２３…情報源、２３ａ，２３ｂ…特定情報、３０…冷却シート（保護物品）、３１…本体部、Ｓ１…第１面、Ｓ２…第２面、３３…情報源、３３ａ，３３ｂ，３３ｃ…特定情報、１００…情報処理装置、１０３…画像取得部、１０４…画像表示部、１０５…音声出力部、１０６…送受信部、１０７…特定情報認識部、１０８…付加情報表示部、１１０…情報更新部、１１１…情報削除部、２００…サーバー装置、２０２…送受信部、２０４…情報提供部、ＩＤ１，ＩＤ２，ＩＤ３…識別情報、ＡＤ１…付加画像、ＡＤ２…付加文字列。
【図１】
2020116057.tif 000003
【図２】
2020116057.tif 000004
【図３】
2020116057.tif 000005
【図４】
2020116057.tif 000006
【図５】
2020116057.tif 000007
【図６】
2020116057.tif 000008
【図７】
2020116057.tif 000009
【図８】
2020116057.tif 000010
【図９】
2020116057.tif 000011
【手続補正書】
【提出日】令和2年3月3日(2020.3.3)
【手続補正１】
【補正対象書類名】特許請求の範囲
【補正対象項目名】全文
【補正方法】変更
【補正の内容】
【特許請求の範囲】
【請求項１】
人体に装着することにより前記人体の一部を保護可能な本体部を備えた保護物品と、当該保護物品に設けられた情報源の特定情報を画像認識可能な情報処理装置とを含む情報処理システムであって、
前記保護物品は、前記本体部において、情報処理装置により画像認識可能な特定情報を持つ情報源が設けられた第１面と保護用の第２面を備え、前記第１面は、非装着状態で第１形態を、装着状態で前記第１形態とは異なる第２形態をそれぞれ形成可能であり、前記情報源は、前記第１面が前記第１形態と前記第２形態のいずれにある場合でも前記特定情報を画像認識可能に構成され、
前記情報処理装置は、前記特定情報を含む画像を取得可能な画像取得部と、前記画像取得部で取得された前記特定情報を含む画像を表示可能な画像表示部と、識別情報を用いて前記画像取得部で取得された画像中の前記特定情報を認識可能な特定情報認識部と、前記特定情報認識部で前記特定情報が認識されたときに前記特定情報が前記画像表示部に表示されていることを条件として前記特定情報に対応する付加情報を前記画像表示部に表示可能な付加情報表示部と、を備え、前記付加情報表示部は、前記本体部により前記人体の一部が保護されていることを条件として前記特定情報に対応する付加情報を前記画像表示部に表示可能に構成されている、
情報処理システム。
【請求項２】
前記第１形態は、平坦な形態であり、
前記第２形態は、湾曲した形態である、
請求項１に記載の情報処理システム。
【請求項３】
前記湾曲した形態は、表面が凹凸を成す形態である、
請求項２に記載の情報処理システム。
【請求項４】
前記凹凸は、前記人体の一部の形状に応じた凹凸である、
請求項３に記載の情報処理システム。
【請求項５】
前記本体部は、伸縮可能であり、
前記情報源は、前記本体部が縮んだ状態と伸びた状態のいずれにある場合でも前記特定情報を画像認識可能に構成されている、
請求項１〜４のいずれか１項に記載の情報処理システム。
【請求項６】
前記情報源は、２種以上の特定情報を持つ、
請求項１〜５のいずれか１項に記載の情報処理システム。
【請求項７】
前記特定情報は、２次元像、文字、及び記号の少なくとも何れかである、
請求項１〜６のいずれか１項に記載の情報処理システム。
【請求項８】
前記保護物品は、絆創膏であり、
前記第２面には、粘着部が設けられている、
請求項１〜７のいずれか１項に記載の情報処理システム。
【請求項９】
前記保護物品は、マスクであり、
前記本体部には、１対の耳かけ部が設けられている、
請求項１〜７のいずれか１項に記載の情報処理システム。
【請求項１０】
前記付加情報表示部は、前記画像表示部に表示されている前記特定情報を含む画像中の前記特定情報を避けた位置に前記付加情報を表示可能に構成されている、
請求項１〜９のいずれか１項に記載の情報処理システム。
【請求項１１】
前記特定情報認識部は、前記画像取得部で取得された前記特定情報を含む画像中の前記特定情報の向きを併せて認識可能であり、
前記付加情報表示部は、前記特定情報認識部で認識された前記特定情報の向きに応じて前記付加情報の表示向きを変化可能に構成されている、
請求項１〜１０のいずれか１項に記載の情報処理システム。
【請求項１２】
前記付加情報表示部は、前記特定情報認識部で２種以上の特定情報が認識されたときに前記２種以上の特定情報が前記画像表示部に表示されていることを条件として、前記２種以上の特定情報それぞれに対応する２種以上の付加情報を前記画像表示部に表示可能に構成されている、
請求項１〜１１のいずれか１項に記載の情報処理システム。
【請求項１３】
前記付加情報は、前記特定情報に対応する付加画像、及び付加文字列の少なくとも何れかである、
請求項１〜１２のいずれか１項に記載の情報処理システム。
【請求項１４】
前記特定情報認識部で前記特定情報が認識されたときに前記特定情報に対応する付加音声を出力可能な音声出力部をさらに備える、
請求項１〜１３のいずれか１項に記載の情報処理システム。
【請求項１５】
前記特定情報認識部における前記特定情報の認識は、テンプレートマッチングによるものである、
請求項１〜１４のいずれか１項に記載の情報処理システム。
【請求項１６】
さらに、請求項１〜１５に記載の情報処理装置と通信可能なサーバー装置とを備え、
前記情報処理装置は、
前記サーバー装置と通信を行うための送受信部と、前記特定情報認識部が前記特定情報の認識を行うのに必要な前記識別情報と、前記付加情報表示部が前記画像表示部に表示可能な前記付加情報とを、前記送受信部から前記サーバー装置に要求する情報要求部とを備え、
前記サーバー装置は、
前記情報処理装置と通信を行うための送受信部と、前記情報処理装置の前記情報要求部からの要求に基づいて前記送受信部から前記情報処理装置に前記識別情報および前記付加情報を提供する情報提供部とを備える、
情報処理システム。
【請求項１７】
前記サーバー装置から前記情報処理装置に提供される前記識別情報および前記付加情報は、前記識別情報と前記付加情報とが対応付けられたデータファイルである、
請求項１６に記載の情報処理システム。
【請求項１８】
前記情報処理装置は、
前記情報処理装置に記憶されている前記識別情報を用いても前記画像取得部で取得された前記特定情報を含む画像中の前記特定情報を認識できないときに、最新の前記識別情報および前記付加情報を前記送受信部から前記サーバー装置に要求する情報更新部をさらに備える、
請求項１６または１７に記載の情報処理システム。
【請求項１９】
前記情報処理装置は、
前記情報処理装置に記憶されている前記識別情報および前記付加情報のうち期限切れのものを削除する情報削除部をさらに備える、
請求項１６〜１８のいずれか１項に記載の情報処理システム。
【手続補正３】
【補正対象書類名】明細書
【補正対象項目名】０００４
【補正方法】変更
【補正の内容】
【０００４】
本発明が解決しようとする課題は、使用時の興趣性を向上できる情報処理システムを提供することにある。
【手続補正４】
【補正対象書類名】明細書
【補正対象項目名】０００５
【補正方法】変更
【補正の内容】
【０００５】
本発明に係る情報処理システムは、人体に装着することにより前記人体の一部を保護可能な本体部を備えた保護物品と、当該保護物品に設けられた情報源の特定情報を画像認識可能な情報処理装置とを含む情報処理システムであって、前記保護物品は、前記本体部において、情報処理装置により画像認識可能な特定情報を持つ情報源が設けられた第１面と保護用の第２面を備え、前記第１面は、非装着状態で第１形態を、装着状態で前記第１形態とは異なる第２形態をそれぞれ形成可能であり、前記情報源は、前記第１面が前記第１形態と前記第２形態のいずれにある場合でも前記特定情報を画像認識可能に構成され、前記情報処理装置は、前記特定情報を含む画像を取得可能な画像取得部と、前記画像取得部で取得された前記特定情報を含む画像を表示可能な画像表示部と、識別情報を用いて前記画像取得部で取得された画像中の前記特定情報を認識可能な特定情報認識部と、前記特定情報認識部で前記特定情報が認識されたときに前記特定情報が前記画像表示部に表示されていることを条件として前記特定情報に対応する付加情報を前記画像表示部に表示可能な付加情報表示部と、を備え、前記付加情報表示部は、前記本体部により前記人体の一部が保護されていることを条件として前記特定情報に対応する付加情報を前記画像表示部に表示可能に構成されている。
また、本発明に係る保護物品は、人体に装着することにより前記人体の一部を保護可能な本体部を備えた保護物品であって、前記本体部は、画像認識可能な特定情報を持つ情報源が設けられた第１面と保護用の第２面を備え、前記第１面は、非装着状態で第１形態を、装着状態で前記第１形態とは異なる第２形態をそれぞれ形成可能であり、前記情報源は、前記第１面が前記第１形態と前記第２形態のいずれにある場合でも前記特定情報を画像認識可能に構成されている。